(57)【要約】【課題】金属板からなる端子電極のエッジ部分にワイヤが接触しても、絶縁被覆層の損傷や中心導体の断線が生じにくい、コイル部品を提供する。【解決手段】線状の中心導体と中心導体の周面を覆う絶縁被覆層とを有するワイヤ２３と、ワイヤ２３の両端部分において中心導体と電気的にそれぞれ接続される金属板からなる端子電極２７と、を備える、コイル部品。ワイヤ２３は、端子電極２７のエッジ部分４４に接触する部分を有する。端子電極２７のエッジ部分４４には、凹状アール面４８などの面取りが施される。このようなエッジ部分４４における面取りは、エッジ部分４４からワイヤ２３に及ぼされる荷重を分散させるように作用し、ここにワイヤ２３が接触しても、絶縁被覆層の損傷や中心導体の断線を生じにくくすることができる。【選択図】図８
2018148081.tif 000002
【特許請求の範囲】
【請求項１】
線状の中心導体と前記中心導体の周面を覆う絶縁被覆層とを有するワイヤと、
前記ワイヤの両端部分において前記中心導体と電気的にそれぞれ接続される金属板からなる複数の端子電極と、
を備え、
前記ワイヤは、前記端子電極のエッジ部分に接触する部分を有し、
前記端子電極の前記エッジ部分には、面取りが施されている、
コイル部品。
【請求項２】
前記エッジ部分は、複数点において前記ワイヤに接触する形状を有する、請求項１に記載のコイル部品。
【請求項３】
前記エッジ部分における前記ワイヤに接触する複数点に挟まれた領域は、凹面をなしている、請求項２に記載のコイル部品。
【請求項４】
前記凹面は、凹状アール面または断面Ｖ字状凹面である、請求項３に記載のコイル部品。
【請求項５】
前記端子電極は、厚み寸法が０．１５ｍｍ以下である、請求項１ないし４のいずれかに記載のコイル部品。
【請求項６】
前記ワイヤの前記中心導体の径は３５μｍ以下である、請求項１ないし５のいずれかに記載のコイル部品。
【請求項７】
前記ワイヤの前記絶縁被覆層の厚み寸法は６μｍ以下である、請求項１ないし６のいずれかに記載のコモンモードチョークコイル。
【請求項８】
前記ワイヤにおける前記エッジ部分に接触する部分では、前記中心導体が前記絶縁被覆層から露出していない、請求項１ないし７のいずれかに記載のコイル部品。
【請求項９】
巻芯部ならびに前記巻芯部の互いに逆の第１および第２の端部にそれぞれ設けられた第１および第２の鍔部を有するコアをさらに備え、
前記端子電極は、前記第１および第２の鍔部に取り付けられ、
前記ワイヤは、前記巻芯部上に螺旋状に巻回される、
請求項１ないし８のいずれかに記載のコイル部品。
【請求項１０】
前記ワイヤは、前記巻芯部から前記端子電極に至る間、前記鍔部に接触しない、請求項９に記載のコイル部品。
【発明の詳細な説明】
【技術分野】
【０００１】
この発明は、コイル部品に関するもので、特に、ワイヤと電気的に接続される端子電極における改良に関するものである。
【背景技術】
【０００２】
この発明にとって興味ある技術として、端子電極にワイヤが電気的に接続された構造を有するコイル部品がある。このようなコイル部品にあっては、たとえば特開２０１３−１７１８８０号公報（特許文献１）等、多くの先行技術文献に記載されるように、金属板からなる端子電極にはエッジ部分があり、このエッジ部分にワイヤが接する構造を有している。
【０００３】
図８（Ｂ）には、上述したような端子電極２７のエッジ部分４４にワイヤ２３が接する構造が示されている。
【先行技術文献】
【特許文献】
【０００４】
【特許文献１】特開２０１３−１７１８８０号公報
【発明の概要】
【発明が解決しようとする課題】
【０００５】
コイル部品において熱膨張および収縮等によるストレスを受けた場合、あるいはコイル部品の製造途中においてワイヤ２３が引き回された場合、ワイヤ２３が端子電極２７に接触している箇所において、ワイヤ２３の表面にある絶縁被覆層が損傷したり、ワイヤ２３の中心導体２５が断線したりすることがある。特に、コイル部品が車載用に向けられるとき、熱膨張および収縮等によるストレスをより受けやすい。
【０００６】
より具体的には、端子電極２７は、たとえば、１枚の金属板に対してプレス加工を施すことにより製造される。端子電極２７の材料となる金属板は、たとえば０．１５ｍｍ以下の厚みを有している。このような場合、プレス加工後の端子電極２７において、そのエッジ部分４４には、プレスによるせん断の結果、「ダレ」または「バリ」が生じやすい。「バリ」は通常、鋭利な形状になっている。「ダレ」は通常、滑らかなアール形状であるが、プレスによるせん断を実施するためのパンチとダイとのクリアランスの設定次第で大きなアールにも小さなアールにもなり得るため、鋭利な形状となる場合もある。
【０００７】
したがって、端子電極２７のエッジ部分４４に鋭利な「ダレ」または「バリ」が生じている場合、図８（Ｂ）に示すように、エッジ部分４４にワイヤ２３が接触すると、前述したような絶縁被覆層の損傷や中心導体の断線が生じやすい。
【０００８】
そこで、この発明の目的は、金属板からなる端子電極のエッジ部分にワイヤが接触しても、絶縁被覆層の損傷や中心導体の断線が生じにくい、コイル部品を提供しようとすることである。
【課題を解決するための手段】
【０００９】
この発明は、線状の中心導体と中心導体の周面を覆う絶縁被覆層とを有するワイヤと、ワイヤの両端部分において中心導体と電気的にそれぞれ接続される金属板からなる複数の端子電極と、を備える、コイル部品に向けられるものであって、上述した技術的課題を解決するため、ワイヤが、端子電極のエッジ部分に接触する部分を有し、端子電極のエッジ部分には、面取りが施されていることを特徴としている。
【００１０】
上述したエッジ部分における面取りは、エッジ部分からワイヤに及ぼされる荷重を分散させるように作用する。
【００１１】
この発明において、好ましくは、エッジ部分は、複数点においてワイヤに接触する形状を有する。この形状は、エッジ部分からワイヤに及ぼされる荷重を分散させ得るに足る最小限の形状であるとともに、プレス加工により容易に得られる形状である。
【００１２】
より好ましくは、エッジ部分におけるワイヤに接触する複数点に挟まれた領域は、凹面をなしている。この凹面としては、たとえば、凹状アール面または断面Ｖ字状凹面を採用することができる。エッジ部分におけるワイヤに接触する２点に挟まれた領域が凹面をなすようにすれば、ワイヤを、より確実に、２点においてエッジ部分に接触させることができる。
【００１３】
この発明の一実施態様では、端子電極は、厚み寸法が０．１５ｍｍ以下である。この場合、プレスによるせん断の結果、金属板のエッジ部分に「ダレ」または「バリ」が生じやすいため、この発明による効果の実効性が高められる。
【００１４】
また、この発明の他の実施態様では、ワイヤの中心導体の径は３５μｍ以下である。この場合、ワイヤの中心導体における断線が生じやすいため、この発明による効果の実効性が高められる。また、この構成によれば、ワイヤの径を細くできるので、ワイヤが巻芯部上に螺旋状に巻回される場合、巻芯部へのワイヤの巻き数を多くすることができる。
【００１５】
また、この発明のさらに他の実施態様では、ワイヤの絶縁被覆層の厚み寸法は６μｍ以下である。この場合、絶縁被覆層の損傷により、ワイヤの中心導体がむき出しになりやすいため、この発明による効果の実効性が高められる。また、この構成によっても、ワイヤの径を細くできるので、ワイヤが巻芯部上に螺旋状に巻回される場合、巻芯部へのワイヤの巻き数を多くすることができる。
【００１６】
この発明によれば、好ましくは、ワイヤにおけるエッジ部分に接触する部分で、中心導体が絶縁被覆層から露出していない、という特徴的構成を見出すことができる。
【００１７】
この発明に係るコイル部品は、好ましくは、巻芯部ならびに巻芯部の互いに逆の第１および第２の端部にそれぞれ設けられた第１および第２の鍔部を有するコアをさらに備え、端子電極は、第１および第２の鍔部に取り付けられ、ワイヤは、巻芯部上に螺旋状に巻回される、といった取扱い容易な形態とされる。
【００１８】
上述の好ましい形態において、ワイヤは、巻芯部から端子電極に至る間、鍔部に接触しないことがより好ましい。この構成によれば、ワイヤに及ぼされるテンションが端子電極との接触部でより大きくなるので、この発明による面取り構造が奏する効果がより際立たせることができる。
【発明の効果】
【００１９】
この発明によれば、金属板からなる端子電極のエッジ部分に面取りが施されているので、ここにワイヤが接触しても、絶縁被覆層の損傷や中心導体の断線を生じにくくすることができる。
【図面の簡単な説明】
【００２０】
【図１】この発明の一実施形態によるコイル部品としてのコモンモードチョークコイル１の外観を示す斜視図であり、（Ａ）は比較的上方から見た図、（Ｂ）は比較的下方から見た図である。
【図２】図１に示したコモンモードチョークコイル１の外観を示すもので、（Ａ）は正面図、（Ｂ）は底面図、（Ｃ）は左側面図である。
【図３】図１に示したコモンモードチョークコイル１に備えるワイヤ２３の拡大断面図である。
【図４】図１に示したコモンモードチョークコイル１において、ワイヤ２３を端子電極２７に電気的に接続する工程を図解する図である。
【図５】コモンモードチョークコイルの実際の製品におけるワイヤと端子電極との電気的接続部分を正面方向から撮影した写真を示す図である。
【図６】図５に示したワイヤと端子電極との電気的接続部分の断面を拡大して撮影した写真を示す図である。
【図７】図６に示した写真をトレースして作成したもので、図６の写真の説明図である。
【図８】図１に示したコモンモードチョークコイル１における端子電極２７のエッジ部分４４とその周囲に引き回されるワイヤ２３とを模式的に示す図であり、（Ａ）はこの発明の実施例、（Ｂ）は従来例を示す。
【図９】図８（Ａ）に示した形態のエッジ部分４４を有する端子電極２７を得るための工程を図解する図である。
【図１０】図８（Ａ）に対応する図であって、端子電極２７のエッジ部分４４の変形例を示す。
【図１１】図８（Ａ）に対応する図であって、端子電極２７のエッジ部分４４の他の変形例を示す。
【発明を実施するための形態】
【００２１】
この発明に係るコイル部品の説明にあたり、コイル部品の一例としてのコモンモードチョークコイルを採り上げる。図１および図２を主として参照して、この発明の一実施形態によるコイル部品としてのコモンモードチョークコイル１について説明する。
【００２２】
コモンモードチョークコイル１は、巻芯部２を有するドラム状コア３を備えている。ドラム状コア３は、巻芯部２の互いに逆の第１および第２の端部にそれぞれ設けられた第１および第２の鍔部４および５を備えている。コモンモードチョークコイル１は、さらに、第１および第２の鍔部４および５間に渡された板状の板状コア６を備えていてもよい。
【００２３】
ドラム状コア３は、フェライトからなり、キュリー温度が１５０℃以上であることが好ましい。低温から１５０℃まで、インダクタンス値を一定以上に維持することができるためである。また、ドラム状コア３の比透磁率が１５００以下であることが好ましい。この構成によれば、ドラム状コア３の構成や材料に高透磁率用の特殊なものを用いる必要が無い。したがって、ドラム状コア３の設計自由度が向上し、たとえばキュリー温度が１５０℃以上であるようなドラム状コア３を容易に設計できる。このように、上記構成によれば、高温でのインダクタンス値が確保された、温度特性の良好なコモンモードチョークコイル１を提供できる。
【００２４】
なお、板状コア６についても、フェライトからなり、キュリー温度が１５０℃以上であることが好ましく、また、比透磁率が１５００以下であることが好ましい。
【００２５】
鍔部４および５は、それぞれ、巻芯部２側に向きかつ巻芯部２の各端部を位置させる内側端面７および８と、内側端面７および８の反対側の外側に向く外側端面９および１０とを有する。また、鍔部４および５は、それぞれ、実装時において実装基板（図示しない。）側に向けられる下面１１および１２、ならびに下面１１および１２の反対側の上面１３および１４を有している。前述した板状コア６は、鍔部４および５の上面１３および１４に接合されている。さらに、第１の鍔部４は、下面１１と上面１３とを連結する方向に延びかつ互いに逆の側方に向く第１および第２の側面１５および１６を有し、第２の鍔部５は、下面１２と上面１４とを連結する方向に延びかつ互いに逆の側方に向く第１および第２の側面１７および１８を有する。
【００２６】
また、第１の鍔部４における下面１１の両端部に、切欠き形状の窪み１９および２０が設けられる。同様に、第２の鍔部５における下面１２の両端部に、切欠き形状の窪み２１および２２が設けられる。
【００２７】
コモンモードチョークコイル１は、さらに、巻芯部２に螺旋状に巻回された第１および第２のワイヤ２３および２４を備えている。なお、図１および図２では、ワイヤ２３および２４の各々の端部のみが図示され、巻芯部２上でのワイヤ２３および２４の図示が省略されている。これらワイヤ２３および２４は、一方のワイヤ２３について図３に図示するように、線状の中心導体２５と、中心導体２５の周面を覆う絶縁被覆層２６とを有する。
【００２８】
中心導体２５は、たとえば銅線からなる。絶縁被覆層２６は、好ましくは、たとえばポリアミドイミドや、イミド変成ポリウレタンのような少なくともイミド結合を含む樹脂からなる。この構成によれば、絶縁被覆層に対して、たとえば１５０℃においても分解しないといった耐熱性を与えることができる。したがって、１５０℃といった高温でも、線間容量が変化せず、Ｓｄｄ１１特性を良好なものとすることができる。
【００２９】
第１および第２のワイヤ２３および２４は、互いに並行しながら同方向に巻回される。このとき、ワイヤ２３および２４は、いずれか一方が内層側に、いずれか他方が外層側に、というように、２層巻きにされても、巻芯部２の軸線方向において交互に配列されかつ互いに平行に並んだ状態で巻くバイファイラ巻きにされてもよい。
【００３０】
中心導体２５の径Ｄは３５μｍ以下であることが好ましい。この構成によれば、ワイヤ２３および２４の径を細くできるので、巻芯部２へのワイヤ２３および２４の巻き数を多くすることや、ワイヤ２３および２４の巻き数を変えずに小型化すること、ワイヤ２３および２４やコイル外形を変えずにワイヤ間隔を広げることなどができる。また、コイル外形に占めるワイヤ２３および２４の割合が減ることで、たとえばドラム状コア３などの他の部分の寸法を拡大できるため、特性をさらに向上できる。
【００３１】
また、中心導体２５の径Ｄは２８μｍ以上であることが好ましい。この構成によれば、中心導体２５の断線を生じにくくすることができる。
【００３２】
また、絶縁被覆層２６の厚み寸法Ｔ４は６μｍ以下であることが好ましい。この構成によれば、ワイヤ２３および２４の径を細くできるので、巻芯部２へのワイヤ２３および２４の巻き数を多くすることや、ワイヤ２３および２４の巻き数を変えずに小型化すること、ワイヤ２３および２４やコイル外形を変えずにワイヤ間隔を広げることなどができる。また、コイル外形に占めるワイヤ２３および２４の割合が減ることで、たとえばドラム状コア３などの他の部分の寸法を拡大できるため、特性をさらに向上できる。
【００３３】
また、絶縁被覆層２６の厚み寸法Ｔ４は３μｍ以上であることが好ましい。この構成によれば、巻回状態で隣り合うワイヤ２３および２４の中心導体２５間の距離を長くできるので、線間容量が小さくなり、そのため、Ｓｄｄ１１特性を良好なものとすることができる。
【００３４】
コモンモードチョークコイル１は、さらに、第１ないし第４の端子電極２７〜３０を備えている。これら第１ないし第４の端子電極２７〜３０のうち、第１および第３の端子電極２７および２９は、第１および第２の側面１５および１６が対向する方向に配列されて、第１の鍔部４に接着剤を介して取り付けられる。第２および第４の端子電極２８および３０は、第１および第２の側面１７および１８が対向する方向に配列されて、第２の鍔部５に接着剤を介して取り付けられる。
【００３５】
第１の端子電極２７と第４の端子電極３０とは、互いに同じ形状であり、第２の端子電極２８と第３の端子電極２９とは、互いに同じ形状である。また、第１の端子電極２７と第３の端子電極２９とは、互いに面対称形状をなし、第２の端子電極２８と第４の端子電極３０とは、互いに面対称形状をなしている。したがって、第１ないし第４の端子電極２７〜３０のうちのいずれか１つの端子電極、たとえば図１（Ａ）および（Ｂ）において最も良好に図示されている第１の端子電極２７について、その詳細を説明し、第２、第３および第４の端子電極２８、２９および３０の詳細については、その説明を省略する。
【００３６】
端子電極２７は、通常、たとえばリン青銅やタフピッチ銅などの銅系合金からなる１枚の金属板に対して順送プレス加工を施すことにより製造される。端子電極２７の材料となる金属板は、０．１５ｍｍ以下の厚みを有しており、たとえば０．１ｍｍの厚みである。
【００３７】
図１（Ｂ）によく示されているように、端子電極２７は、鍔部４の外側端面９に沿って延びる基部３１と、当該基部３１から、鍔部４の外側端面９と下面１１とが交差する稜線部分を覆う第１の屈曲部３２を介して、鍔部４の下面１１に沿って延びる実装部３３と、を備えている。実装部３３は、コモンモードチョークコイル１が図示しない実装基板上に実装されるとき、実装基板上の導電ランドに対して、はんだ付け等によって電気的かつ機械的に接続される部分となる。
【００３８】
さらに、図１（Ｂ）を参照して、端子電極２７は、実装部３３から第２の屈曲部３４を介して延びる立上がり部３５、および立上がり部３５から第３の屈曲部３６を介して延びる受け部３７を備えている。上記立上がり部３５は、窪み１９を規定する垂直壁３８に沿って延び、上記受け部３７は、窪み１９を規定する底面壁３９に沿って延びている。受け部３７は、ワイヤ２３の端部に沿うとともに、ワイヤ２３を端子電極２７に電気的かつ機械的に接続する部分となる。
【００３９】
なお、上述の受け部３７は、鍔部４から所定の間隔を置いて位置していることが好ましい。より特定的には、立上がり部３５および受け部３７は、窪み１９を規定する垂直壁３８および底面壁３９から所定の間隔を置いて位置していて、垂直壁３８および底面壁３９に接していないことが好ましい。
【００４０】
上述した第１の端子電極２７における基部、第１の屈曲部、実装部、第２の屈曲部、立上がり部、第３の屈曲部および受け部をそれぞれ指すために用いた参照符号３１、３２、３３、３４、３５、３６および３７は、必要に応じて、第２、第３および第４の端子電極２８、２９および３０における対応の基部、第１の屈曲部、実装部、第２の屈曲部、立上がり部、第３の屈曲部および受け部をそれぞれ指すためにも用いることにする。
【００４１】
前述した第１のワイヤ２３の第１端は第１の端子電極２７に電気的に接続され、第１のワイヤ２３の第１端とは逆の第２端は第２の端子電極２８に電気的に接続される。他方、第２のワイヤ２４の第１端は第３の端子電極２９に電気的に接続され、第２のワイヤ２４の第１端とは逆の第２端は第４の端子電極３０に電気的に接続される。
【００４２】
通常、上述したワイヤ２３および２４と端子電極２７〜３０との接続工程を実施する前に、ワイヤ２３および２４を巻芯部２上に巻回する工程が実施される。巻回工程では、ドラム状コア３を巻芯部２の中心軸線まわりに回転させた状態で、ノズルからワイヤ２３および２４がトラバースされながら巻芯部２に向かって供給される。これによって、ワイヤ２３および２４が巻芯部２上で螺旋状に巻回される。
【００４３】
この巻回工程において、ドラム状コア３を上述のように回転させるため、ドラム状コア３は、回転駆動源に接続されたチャックによって保持される。チャックは、ドラム状コア３における一方の鍔部、たとえば第１の鍔部４を保持するように設計されている。
【００４４】
第１の鍔部４の外側端面９に注目すると、そこには、上面１３と外側端面９とが交差する稜線に沿って延びる凸状の段部４０が形成されている。また、外側端面９における上記段部４０が形成された領域より前記下面１１に近い側の領域には平坦面４１が形成されている。
【００４５】
一方、ドラム状コア３には、端子電極２７〜３０が既に取り付けられている。したがって、端子電極２７の基部３１および端子電極２９の基部３１は、第１および第２の側面１５および１６が対向する方向に互いに隣接しながら、外側端面９における上記平坦面４１に沿って位置している。これら端子電極２７の基部３１と端子電極２９の基部３１との間の間隔については、図２（Ｃ）に示すように、下面１１により近い側での間隔Ｓ１が、上面１３（あるいは段部４０）により近い側での間隔Ｓ２より広くなっている。この実施形態では、２つの基部３１が、ともにＴ字状とされることによって、上述のようなＳ１＞Ｓ２となる間隔を実現している。
【００４６】
チャックのつかみ部は、鍔部４における（１）第１の側面１５、（２）第２の側面１６、（３）上面１３、（４）段部４０に加えて、（５）平坦面４１の上記間隔Ｓ１で規定される部分、といった５つの異なる部分に接触した状態でドラム状コア３を保持する。したがって、ワイヤ２３および２４の巻回工程において、回転されるドラム状コア３の姿勢を安定させることができる。
【００４７】
端子電極２７の基部３１と端子電極２９の基部３１との間隔について、下面１１により近い側での間隔Ｓ１は、０．３ｍｍより広いことが好ましい。これによって、チャックのつかみ部を平坦面４１に当接させるのに十分な面積を確保することができる。また、上面１３により近い側での間隔Ｓ２は、０．１ｍｍ以上かつ０．３ｍｍ以下であることが好ましい。通常、順送プレス加工を施す場合、ワークとしての金属板の厚み寸法より小さい寸法で打抜きを行なうことが困難である。したがって、前述したように、端子電極２７〜３０の材料となる金属板の厚み寸法を０．１ｍｍとしたとき、間隔Ｓ２を０．１ｍｍ以上かつ０．３ｍｍ以下とすることにより、順送プレス加工を容易に実施することができる。
【００４８】
上述のように、回転駆動源に接続されたチャックによって保持されたドラム状コア３を巻芯部２の中心軸線まわりに回転させることによって、ノズルから供給されたワイヤ２３および２４がトラバースされながら巻芯部２上で螺旋状に巻回される。巻芯部２上における第１および第２のワイヤ２３および２４の各々の巻き数は４２ターン以下であることが好ましい。ワイヤ２３および２４の総長さを短くすることができるので、Ｓｄｄ１１特性をより良好なものとすることができるためである。なお、インダクタンス値の確保のためには、ワイヤ２３および２４の各々の巻き数は３９ターン以上であることが好ましい。
【００４９】
なお、巻回工程において、チャックは、一方の鍔部、たとえば第１の鍔部４のみをつかむように設計されているので、他方の鍔部、たとえば第２の鍔部５については、第１の鍔部４において採用された、段部４０および平坦面４１を有する構成は採用されなくてもよい。また、第２および第４の端子電極２８および３０についても、前述したような第１および第３の端子電極２７および２９において採用された、基部３１の形状および配置は採用されなくてもよい。
【００５０】
しかしながら、上述したような特徴的構成が、第１および第２の鍔部４および５の双方に採用され、かつ、第１ないし第４の端子電極２７〜３０のすべてに採用されると、巻回工程において、ドラム状コア３の方向性をなくすことができ、チャックによるつかみ工程での方向ミスをなくすことができる。
【００５１】
上述の巻回工程を終えた後、以下に説明するワイヤ２３および２４と端子電極２７〜３０との接続工程が実施される。
【００５２】
以下、代表して、第１のワイヤ２３を第１の端子電極２７に接続する工程について図４を参照して説明する。図４には、第１の端子電極２７の受け部３７および第１のワイヤ２３の端部が模式的に図示されている。
【００５３】
前述の巻回工程を終えた段階では、ワイヤ２３の端部は、図４（１）に示すように、受け部３７および受け部３７の先端にある先端部３７ａ上にまで引き出された状態となっている。また、ワイヤ２３の端部は、その全周において、絶縁被覆層２６が除去された状態とされる。絶縁被覆層２６の除去には、たとえばレーザ光照射が適用される。
【００５４】
次に、同じく図４（１）に示すように、溶接のためのレーザ光４２が、ワイヤ２３における絶縁被覆層２６から露出した中心導体２５と先端部３７ａとが重なった領域に向かって照射される。これによって、中心導体２５およびそれを受ける先端部３７ａが溶融する。このとき、図４（２）に示すように、溶融した中心導体２５および先端部３７ａは、そこに作用する表面張力によって玉状となり、溶接塊部４３が形成される。すなわち、溶接塊部４３は、中心導体２５および端子電極２７（先端部３７ａ）が一体化したものであり、中心導体２５は、溶接塊部４３の中に取り込まれる。
【００５５】
前述したように、好ましくは、受け部３７は、鍔部４から所定の間隔を置いて位置していて、鍔部４に接していないようにされる。この構成は必須ではないが、この構成によれば、上述した溶接工程において、受け部３７での温度上昇が鍔部４側に伝わりにくくなり、熱によるドラム状コア３への悪影響を低減することができる。
【００５６】
図５には、コモンモードチョークコイルの実際の製品におけるワイヤと端子電極との電気的接続部分を正面方向から撮影した写真が示されている。図５において、右上の丸い部分が溶融玉、すなわち溶接塊部４３に相当している。図６には、図５に示したワイヤと端子電極との電気的接続部分の断面を拡大して撮影した写真が示されている。図７は、図６に示した写真をトレースして作成したもので、図６の写真の説明図である。なお、前述の図４は、レーザ光４２を上から下に向かって照射するように図示されたため、図５ないし図７における天地関係と逆になっている。
【００５７】
図６と図７とを対照ながら説明すると、溶接工程により、先端部３７ａだけでなく、溶接後において残存している受け部３７と溶接塊部４３とは溶接され合い、互いに接触している。ワイヤ２３の中心導体２５は、受け部３７と溶接塊部４３との間に位置し、溶接塊部４３に内包されている。また、絶縁被覆層２６がワイヤ２３の端部の全周において除去されることで、ワイヤ２３の端部では、ワイヤ２３の中心導体２５についても、受け部３７および溶接塊部４３と溶接され合っていることが好ましい。さらに、好ましくは、溶接塊部４３の中には、絶縁被覆層２６に由来する物質が存在していない。なお、受け部３７と溶接塊部４３との区別については、外縁形状が板状のままである部分を受け部３７、外縁形状が曲面状となっている部分を溶接塊部４３とすることができる。
【００５８】
このようにして、強固な溶接が達成される。また、ワイヤ２３の中心導体２５は、受け部３７と溶接塊部４３との間に位置し、その全周が溶接塊部４３に内包されるので、より高い機械的強度、より低い電気抵抗、より高い耐ストレス性、より高い化学的な耐浸食性等が得られ、溶接構造に対するより高い信頼性が実現される。また、溶接塊部４３の中に絶縁被覆層２６に由来する物質が存在しないので、溶融時のブローホールを低減させることができ、この点においても、信頼性の高い溶接構造を得ることができる。
【００５９】
以上、第１の端子電極２７と第１のワイヤ２３との接続について説明したが、他の端子電極２８〜３０とワイヤ２３または２４との接続についても同様の工程が実施される。
【００６０】
上述したワイヤ２３および２４の巻回工程、ならびにワイヤ２３および２４の端子電極２７〜３０への接続工程を終えた後、板状コア６が第１および第２の鍔部４および５の各々の上面１３および１４に接着剤を介して接合される。このようにして、ドラム状コア３と板状コア６とによって閉磁路が形成されるので、インダクタンス値を向上させることができる。
【００６１】
なお、板状コア６は、磁路を形成できる磁性樹脂板または金属板に置き換えられてもよい。あるいは、板状コア６は、コモンモードチョークコイル１において省略されてもよい。
【００６２】
上述のようにして完成されたコモンモードチョークコイル１において熱膨張および収縮等によるストレスを受けた場合、あるいはコモンモードチョークコイル１の製造途中においてワイヤ２３および２４が引き回された場合、ワイヤ２３および２４の少なくとも一方が端子電極２７〜３０の少なくとも１つに接触している箇所において、絶縁被覆層２６が損傷したり、中心導体２５が断線したりすることがある。特に、コモンモードチョークコイル１が車載用に向けられるとき、熱膨張および収縮等によるストレスをより受けやすい。なお、このような接触箇所は、たとえば、図２（Ｂ）において円で囲んだ箇所Ｃに見出すことができる。
【００６３】
上述の状況を、ワイヤ２３および２４と端子電極２７〜３０とを代表して、図８に示した第１のワイヤ２３と第１の端子電極２７とに関連して説明する。
【００６４】
前述したように、端子電極２７は、たとえばリン青銅やタフピッチ銅などの銅系合金からなる１枚の金属板に対して順送プレス加工を施すことにより製造される。端子電極２７の材料となる金属板は、０．１５ｍｍ以下の厚みを有しており、たとえば０．１ｍｍの厚みである。このような場合、プレス加工後の端子電極２７において、そのエッジ部分４４には、プレスによるせん断の結果、鋭利な「ダレ」または「バリ」が生じやすい。したがって、前述したとおり、鋭利な「ダレ」または「バリ」が生じたエッジ部分４４に、図８（Ｂ）に示すように、ワイヤ２３が接触すると、絶縁被覆層２６の損傷や中心導体２５の断線が生じることがある。
【００６５】
そこで、この実施形態では、図８（Ａ）に示すように、上述のエッジ部分４４において面取りが施されている。このように面取りをエッジ部分４４に施すことにより、ワイヤ２３が端子電極２７に接触しても、接触面積の拡大や接触箇所の複数化により、端子電極２７からワイヤ２３に及ぼされる荷重が分散される。したがって、前述した絶縁被覆層２６の損傷や中心導体２５の断線を生じにくくすることができる。その結果、ワイヤ２３におけるエッジ部分４４に接触する部分では、中心導体２５が絶縁被覆層２６で適正に覆われている状態とすることができる。
【００６６】
上述したように面取りが施されたエッジ部分４４を備える端子電極２７は、好ましくは、プレス加工に含まれる複数の工程の中に、コイニング工程を挿入することによって得られる。
【００６７】
図９を参照して、より具体的に説明すると、まず、（１）に示すように、端子電極２７の材料となる金属板４５が用意される。次に、（２）に示すように、コイニング金型４６が金属板４５に向かって圧入され、金属板４５の一方主面側に型模様が付与される。コイニング金型４６に凸状アール面４７が形成されていると、金属板４５側に対応の凹状アール面４８を有する型模様が付与される。次に、（３）に示すように、パンチ４９とダイ５０とを用いて、金属板４５に対してせん断に基づく板抜き加工が施され、コイニング金型４６による圧入領域より内側の位置で金属板４５が切断され、端子電極２７が得られる。
【００６８】
得られた端子電極２７のエッジ部分４４には、上述のコイニング金型４６による凸状アール面４７に対応する凹状アール面４８を形成した面取り部が残される。このように、凹状アール面４８を形成したエッジ部分４４によれば、２点においてワイヤ２３に接触することになる。すなわち、エッジ部分４４におけるワイヤ２３に接触する２点に挟まれた領域は、凹面をなしているためである。
【００６９】
図８（Ｂ）に示した端子電極２７のエッジ部分４４には、凹状アール面４８を形成した面取りが施されていたが、その変形例として、たとえば図１０に示すように、断面Ｖ字状凹面５１を形成した面取りが施されてもよい。この場合であっても、エッジ部分４４におけるワイヤ２３に接触する２点に挟まれた領域は、凹面をなしている。そして、エッジ部分４４は、２点においてワイヤ２３に接触することになり、ワイヤ２３に及ぼされる損傷を低減することができる。
【００７０】
面取りの他の変形例として、たとえば図１１に示すように、２個の断面Ｖ字状凹面５１を形成した面取りが施されてもよい。この変形例によれば、図１０に示した変形例の場合よりも、ワイヤ２３に接触する箇所を増やすことができ、ワイヤ２３に及ぼされる損傷をより低減することができる。なお、ワイヤ２３に接触する箇所は、断面Ｖ字状凹面の数に応じて、さらに増やすこともできる。
【００７１】
面取りの形状については、さらに他の変形例が多数あり得る。たとえば、上述の断面Ｖ字状凹面のＶ字の屈曲部のみを曲面とした形状、面取りの底面が端子電極を構成する金属板の主面と平行でない形状、などに変更することができる。また、ワイヤと端子電極を構成する金属板との接触面積をより大きくするように、たとえば凸状アール面のような形状に変更されてもよい。
【００７２】
上述したような面取りの形状は、図９（２）に示したコイニング金型４６に相当する金型の形状を変更することにより、容易に変更することができる。ただし、面取りを施す方法は、上記のコイニング工程の挿入に限られず、同様の構造を得られるのであれば、方法に制限はない。
【００７３】
なお、ワイヤ２３が端子電極２７のエッジ部分４４に接触する箇所として、図２（Ｂ）において円で囲んだ箇所Ｃを例示したが、同様の接触状態を、ワイヤ２３および２４の引き回し経路に関連して、他の箇所にも見出すことができる。一方で、端子電極２７のうち、ワイヤ２３が接触しない部分には面取りを施す必要は無い。
【００７４】
図２（Ｂ）に示すように、ドラム状コア３の外形寸法に関して、コモンモードチョークコイル１の小型化を図るため、巻芯部２の軸線方向に測定した外形寸法Ｌ１は３．４ｍｍ以下であり、巻芯部２の軸線方向に直交する方向に測定した外形寸法Ｌ２は２．７ｍｍ以下であることが好ましい。この構成によれば、コモンモードチョークコイル１の小型化を図ることで、低ＥＭＣ部品に対してコモンモードチョークコイル１をより近くに配置でき、実質的なノイズ低減効果を向上することができる。また、ドラム状コア３の体積が一定以下であることで、加熱冷却によるドラム状コア３の膨張収縮の絶対量を低減でき、低温から高温までの特性変動を低減できる。
【００７５】
また、図２（Ａ）に示すように、巻芯部２の軸線方向に測定した第１および第２の鍔部の各々の厚み寸法Ｔ１およびＴ２は０．７ｍｍ未満であることが好ましい。この構成によれば、コモンモードチョークコイル１の限られた外形寸法Ｌ１およびＬ２の範囲内で、巻芯部２の軸線方向の長さを長くすることができる。このことは、ワイヤ２３および２４の巻き態様についての自由度が上がることを意味する。そのため、ワイヤ２３および２４の巻き数を多くでき、その結果、インダクタンス値を高めることができ、あるいは、巻回されるワイヤ２３および２４をより太くすることができ、その結果、ワイヤ２３および２４の断線を生じにくくするとともに、ワイヤ２３および２４が有する直流抵抗を減じることができる。また、ワイヤ間隔（絶縁被膜厚）を広げることでワイヤ間容量を低減することができる。
【００７６】
また、コモンモードチョークコイル１が実装面上に実装された状態において、第１および第２の鍔部４および５の各々の、実装面に投影した面積、すなわち、図２（Ｂ）に現れた鍔部４および５の各々の面積は、１．７５ｍｍ２未満であることが好ましい。この構成によれば、上述の場合と同様、コモンモードチョークコイル１の限られた外形寸法Ｌ１およびＬ２の範囲内で、巻芯部２の軸線方向の長さを長くすることができ、そのため、上述の場合と同様の効果が期待できる。
【００７７】
また、巻芯部２の断面積は１．０ｍｍ２未満であることが好ましい。この構成によれば、ワイヤ２３および２４の巻き数を維持しながら、ワイヤ２３および２４の総長さを短くすることができるので、Ｓｄｄ１１特性の向上を図ることができる。
【００７８】
また、コモンモードチョークコイル１が実装面上に実装された状態において、巻芯部２と実装面との間の距離、すなわち、図２（Ａ）に示した距離Ｌ３は、０．５ｍｍ以上であることが好ましい。この構成によれば、実装面側に存在し得るグラウンドパターンと、巻芯部２上に巻回されたワイヤ２３および２４と、の間の距離を長くすることができるので、グラウンドパターンとワイヤワイヤ２３および２４との間に形成される浮遊容量を減じることができ、そのため、モード変換特性をより良好なものとすることができる。
【００７９】
また、図２（Ａ）に示すように、板状コア６の厚み寸法Ｔ３は０．７５ｍｍ以下であることが好ましい。この構成によれば、コモンモードチョークコイル１の総高さ寸法を小さくすることができる。あるいは、コモンモードチョークコイル１の総高さ寸法を大きくすることなく、巻芯部２の高さ位置を実装面から離してより高くすることができる。その結果、実装面側に存在するグラウンドパターンとワイヤ２３および２４との間に形成される浮遊容量を減じることができ、そのため、モード変換特性をより良好なものとすることができる。
【００８０】
また、第１および第２の鍔部４および５と板状コア６との間の隙間は１０μｍ以下であることが好ましい。この構成によれば、ドラム状コア３と板状コア６とによって形成される磁路の磁気抵抗を低くすることができるので、インダクタンス値を高くすることができる。ここで、第１および第２の鍔部４および５と板状コア６との間の隙間は、たとえば、一方の鍔部４または５の端面に平行な面が現れるように、コモンモードチョークコイル１を研磨した試料について、上記隙間の寸法をたとえば幅方向（図２（Ｂ）におけるＬ２が示す方向）に均等間隔で設定された５箇所で測定し、それら測定値を算術平均することにより求めることができる。
【００８１】
以上のように説明したコモンモードチョークコイル１は、１５０℃でのコモンモードインダクタンス値が１００ｋＨｚにおいて１６０μＨ以上であり、かつ２０℃でのリターンロスが１０ＭＨｚにおいて−２７．１ｄＢ以下であるといった構成を備えることを特徴としている。コモンモードインダクタンス値が１６０μＨ以上であると、BroadR-Reachなどの高速通信で求められるノイズ除去性能である、コモンモード除去比−４５ｄＢ以下を満足することができる。また、上記高速通信では、コモンモードチョークコイル１における通信信号の通過特性を向上させ、通信品質を確保している。特に、リターンロスが−２７ｄＢ以下であれば、問題なく通信が実現できる。よって、リターンロスが−２７．１ｄＢ以下であると、より高品質な高速通信を実現できる。したがって、コモンモードチョークコイル１によれば、より高温で高速通信を最低限使用可能としつつ、常温ではより高品質な高速通信を実現できる。
【００８２】
また、コモンモードチョークコイル１は、好ましくは、１３０℃でのリターンロスが１０ＭＨｚにおいて−２７ｄＢ以下である。この構成によれば、より広い温度範囲で問題なく通信を実現するためのコモンモードチョークコイル１を提供できる。
【００８３】
以上、この発明に係るコイル部品を、より具体的なコモンモードチョークコイルに関する実施形態に基づいて説明したが、この実施形態は、例示的なものであり、その他種々の変形例が可能である。
【００８４】
たとえば、コイル部品に備えるワイヤの本数およびワイヤの巻回方向、ならびに端子電極の個数等は、コイル部品の機能に応じて変更され得る。
【００８５】
また、上記実施形態では、端子電極とワイヤとの接続のため、レーザ溶接を用いたが、これに限られず、アーク溶接などを用いてもよい。
【００８６】
また、この発明に係るコイル部品は、コアを備えないものであってもよい。
【符号の説明】
【００８７】
１  コモンモードチョークコイル（コイル部品）
２  巻芯部
３  ドラム状コア
４，５  鍔部
２３，２４  ワイヤ
２５  中心導体
２６  絶縁被覆層
２７〜３０  端子電極
４４  エッジ部分
４５  金属板
４８  凹状アール面
５１  断面Ｖ字状凹面
【図１】
2018148081.tif 000003
【図２】
2018148081.tif 000004
【図３】
2018148081.tif 000005
【図４】
2018148081.tif 000006
【図５】
2018148081.tif 000007
【図６】
2018148081.tif 000008
【図７】
2018148081.tif 000009
【図８】
2018148081.tif 000010
【図９】
2018148081.tif 000011
【図１０】
2018148081.tif 000012
【図１１】
2018148081.tif 000013